【手続補正書】
【提出日】平成18年6月8日(2006.6.8)
【手続補正１】
【補正対象書類名】明細書
【補正対象項目名】全文
【補正方法】変更
【補正の内容】
【書類名】        明細書
【発明の名称】      マッサージ機能付マット
【特許請求の範囲】
【請求項１】    マット本体内部の長手方向一側に枕状エアーバッグを配設すると共にその内部の首部・肩部・背中部・腰部・臀部・尻部・大腿部・ふくらはぎ部・足首部の各部対応位置に複数のエアーバッグを配設し、且つ、これら各エアーバッグと連通するよう接続されるエアーホースをこのマット本体内部に一体的に収納し、エアー給排気装置から給排気されるエアーにより前記エアーホースを介して各エアーバッグを膨縮させるようにしたマッサージ機能付マットにおいて、前記各エアーバッグを容易に収縮しない有気密性の素材で袋状形成し、各エアーバッグの膨張状態を保持した就寝用及び休息用マットとして使用できるよう構成した事を特徴とするマッサージ機能付マット。
【請求項２】    前記枕状エアーバッグが、複数のエアーバッグを重合状に配設させたものである事を特徴とする請求項１記載のマッサージ機能付マット。
【請求項３】    前記複数のエアーバッグが、マット本体の内部左右で重設されたものである事を特徴とする請求項１記載のマッサージ機能付マット。
【発明の詳細な説明】
【０００１】
【発明の属する技術分野】
本発明は、エアーの給排気によって膨縮する複数のエアーバッグをマット本体内部に収納したマッサージ機能付マットに係り、詳しくは、前記各エアーバッグの膨張状態を保持できるように構成して、各エアーバッグによる膨縮施療と通常のマットとの双方の利用ができるようしたマッサージ機能付マットに関するものである。
【０００２】
【従来の技術】
従来、マッサージ装置としては、マット部に複数のエアーバッグを配設し、エアー給排気装置で各エアーバッグに順次エアーを給排気するようにしてエアーバッグの膨縮により施療できるようにしたマット型マッサージ装置が開発されている。
【０００３】
ところで、これら従来のマッサージ装置は、全体重量が軽量でどのような形状のものにも内装できると共に、折り畳み可能で持ち運び容易で有り、しかも、首部・肩部・背中部・腰部の他、臀部・尻部・大腿部や足のふくらはぎ部等に亘る広域範囲を、これらに対応するよう任意に配設されたエアーバッグを適宜に膨縮させることで、施療部を快適にマッサージできるという利点がある。
【０００４】
【発明が解決しようとする課題】
しかし、この種従来のマッサージ装置にあっては、複数のエアーバッグを順次膨縮させて施療部をマッサージする為、施療者が横臥状態で使用できるのであるが、休息や就寝時等の場合には、比較的クッション性が少ない為不向きであり、別な布団やマットを敷いて就寝する為にマッサージ装置自体が邪魔になっており、その都度押入れ等に収納しているのが現状である。
【０００５】
また、この種のマッサージ装置は、マッサージを主要目的とする為に、その上に寝具等を敷設して使用とする場合にも不向きであり、寝具用マットとしても使用し難いという問題もあった。
【０００６】
本発明は、上記のような問題点に鑑みてなされたものであり、マット本体内部にエアー給排気装置により膨縮する複数のエアーバッグの膨張状態を保持できるように構成し、施療用のマッサージマットとしても利用でき、また通常のマットとしても利用できる軽量なマッサージ機能付マットを提供する事を目的とするものである。
【０００７】
【課題を解決するための手段】
すなわち、本発明のマッサージ機能付マットは、マット本体内部の長手方向一側に枕状エアーバッグを配設すると共にその内部の首部・肩部・背中部・腰部・臀部・尻部・大腿部・ふくらはぎ部・足首部の各部対応位置に複数のエアーバッグを配設し、且つ、これら各エアーバッグと連通するよう接続されるエアーホースをこのマット本体内部に一体的に収納し、エアー給排気装置から給排気されるエアーにより前記エアーホースを介して各エアーバッグを膨縮させるようにしたマッサージ機能付マットにおいて、前記各エアーバッグを容易に収縮しない有気密性の素材で袋状形成し、各エアーバッグの膨張状態を保持した就寝用及び休息用マットとして使用できるよう構成した事を特徴とする。
【０００８】
また本発明は、前記枕状エアーバッグが、複数のエアーバッグを重合状に配設させたものである事を特徴とするものである。
【０００９】
更に本発明のものは、前記複数のエアーバッグが、マット本体の内部左右で重設されたものである事を特徴とするものでもある。
【００１０】
【作  用】
本発明のマッサージ機能付マットは、上記のように構成する事により、以下のような作用をもたらすものである。
すなわち、本発明のマッサージ機能付マットは、施療用として使用しない場合にもマット本体内部に配設された各エアーバッグの膨張状態を、保持できるよう構成しているため、各エアーバッグの膨張状態を保持した就寝用及び休息用マット等の寝具の代用としても使用できる。
【００１１】
また本発明のものは、マット本体の長手方向一側に複数のエアーバッグを重合状に配設させた枕状エアーバッグを配設しこれらを任意の高さに膨張させて、該状態で保持できるように構成しているため、枕の別設置を要せず、しかも枕高さを使用者の任意の高さで維持させる事ができる。
【００１２】
更に本発明のものは、前記複数のエアーバッグが、マット本体の内部左右で重設されたものであり、各エアーバッグの膨張状態を保持させてできるよう構成しているため、各エアーバッグの膨張状態を保持した就寝用布団及び休息用マット等の寝具の代用としても使用できる。
【００１２】
【発明の実施の形態】
以下、本発明に係るマッサージ機能付マットを図面に示す一実施例に基づき、これを詳細に説明する。
図１は本発明のマッサージ機能付マットの外観及び内部機構の概略を示す説明図であり、図２は本発明のマッサージ機能付マットにける内部機構の一実施例を示す概略説明図であり、図３は本発明のマッサージ機能付マットを寝具代用のマットとして使用する場合の説明図であり、図４は本発明のマッサージ機能付マットの枕状エアーバッグを膨張させて枕部として使用する場合の説明図である。
【００１３】
本発明は、図１及び図２で示したようにマット本体１と、該マット本体１内部に配設される複数のエアーバッグＡ１、Ａ２・・・Ａ１６及びＢ１、Ｂ２・・・Ｂ１６と、各エアーバッグＡ１、Ａ２・・・Ａ１６及びＢ１、Ｂ２・・・Ｂ１６に各々エアーを給排気するエアー給排気装置２・２と、該エアー給排気装置２・２と各エアーバッグＡ１、Ａ２・・・Ａ１６及びＢ１、Ｂ２・・・Ｂ１６とが連通するよう接続するエアーホース３・３とを一体的に収納している。
【００１４】
前記マット本体１は、マット本体１内部の長手方向一側両隅に前記エアー給排気装置２・２が内装できるよう収納部１１・１１を形成しており、その対向側の他側に前記エアーホース３に連通する枕状エアーバッグ１２を配設している。
【００１５】
前記複数のエアーバッグＡ１、Ａ２・・・Ａ１６及びＢ１、Ｂ２・・・Ｂ１６は、前記マット本体１の内部左右に各々１６個づつ（１６個に限定されない）が重設或いは並設されており、各エアーバッグＡ１、Ａ２・・・Ａ１６及びＢ１、Ｂ２・・・Ｂ１６は、首部・肩部・背中部・腰部・臀部・大腿部・尻部・ふくらはぎ部、及び足首部の各部に対応するようにしている。
【００１６】
前記各エアーバッグＡ１、Ａ２・・・Ａ１６及びＢ１、Ｂ２・・・Ｂ１６は、弾性を有し、気密性のあるウレタン材や合成樹脂材の他、ゴム材等の素材で袋状に形成しており、エアーの膨張状態を保持できるようにしている。
【００１７】
前記枕状エアーバッグ１２は、前記各エアーバッグＡ１、Ａ２・・・Ａ１６及びＢ１、Ｂ２・・・Ｂ１６と同様な素材で袋状に形成しているが、前記各エアーバッグＡ１、Ａ２・・・Ａ１６及びＢ１、Ｂ２・・・Ｂ１６の大きさとは稍異なり、該枕状エアーバッグ１２は枕形状になるよう形成している。
【００１８】
また、前記枕状エアーバッグ１２は、外形を枕形状にすべく、図４に示したように複数のエアーバッグを重合状に配設させても良く、その数量は任意である。
【００１９】
前記エアー給排気装置２は、エアーコンプレッサー２１と該エアーコンプレッサー２１から供給されるエアーを、前記エアーホース３を介して前記各エアーバッグＡ１、Ａ２・・・Ａ１６及びＢ１、Ｂ２・・・Ｂ１６に所定の順序で分配して供給するロータリーバルブよりなる分配器２２とで構成されており、該エアー給排気装置２は、前述したようにマット本体１の長手方向両隅の収納部１１内に収納されている。
【００２０】
前記エアーホース３は、前記マット本体１の長手方向左右両側に各々配設されており、前記エアー給排気装置２・２と前記各エアーバッグＡ１、Ａ２・・・Ａ１６及びＢ１、Ｂ２・・・Ｂ１６とが連通するよう接続されて、エアー給排気装置２からのエアーを各エアーバッグＡ１、Ａ２・・・Ａ１６及びＢ１、Ｂ２・・・Ｂ１６に所定の順序で順次供給或いは排気させる事ができるようにしている。
【００２１】
尚、前記エアー給排気装置２の給排速度や給排量及び各エアーバッグＡ１、Ａ２・・・Ａ１６及びＢ１、Ｂ２・・・Ｂ１６の選択特定或いは給排順序は、図示していないがマイクロコンピュータ等の制御機構によりコンロールできるようにしている。
【００２２】
尚、上記実施例では各エアーバッグＡ１、Ａ２・・・Ａ１６及びＢ１、Ｂ２・・・Ｂ１６のように、左右に１６個づつ配置した例を示したが、これに限定されるものではなく、目的や用途に応じて分配器２２と共に任意に変更できるものである。
【００２３】
また、本発明は、マット本体１の足下両側に小型のエアー給排気装置２・２を配設した例を示しているが、この足下側にあるエアー給排気装置２・２の重量により、図３に示したように、前記エアー給排気装置２・２を内装したマット本体１の対向側（枕側）を容易に持ち上げて、折り畳み或いは敷設が簡単に行えるようにしている。
【００２４】
【発明の効果】
よって、本発明によれば、マット本体内部にエアー給排気装置により膨縮する複数のエアーバッグの膨張状態を保持できるように構成しているため、マッサージ装置としてのみの使用しかできない従来のマッサージ装置とは異なり、施療用のマッサージマットのみならず通常の就寝用及び休息用のマットとしても使用できるという利点を有する。
【００２５】
また、本発明のものは、マット本体の長手方向一側に枕状エアーバッグを配設しこれらを任意の高さに膨張させて保持できるように構成しているため、従来のマッサージ装置のように枕を別設置する必要がなく、しかも枕高さを使用者の任意の高さで維持させる事ができ、寝具としてのコストを低減できるという利点をも有する。
【図面の簡単な説明】
【図１】
本発明の本発明のマッサージ機能付マットの外観及び内部機構の概略を示す説明図である。
【図２】
本発明のマッサージ機能付マットにける内部機構の一実施例を示す概略説明図である。
【図３】
本発明のマッサージ機能付マットを寝具代用のマットとして使用する場合の説明図である。
【図４】
本発明のマッサージ機能付マットの枕状エアーバッグを膨張させて枕部として使用する場合の説明図である。
【符号の説明】
１    マット本体
Ａ１、・・・Ａ１６    エアーバッグ
Ｂ１、・・・Ｂ１６    エアーバッグ
１１    収納部
１２    枕状エアーバッグ
２    エアー給排気装置
３    エアーホース